(57)【要約】【課題】ガラス容器の表面に形成されるエンボス部の視認性を向上させることができる容器成形金型を提供する。【解決手段】  ガラス容器Ｃを成形するための容器成形金型２０であって、ガラス容器の主表面Ｃ１を形成するためのベース型面２５と、ガラス容器の主表面にエンボス部Ｃ２を形成するために、ベース型面に形成された凹部２６とを有し、凹部は、凹部底壁２７と、凹部底壁からベース型面に向けて延びる凹部側壁２８とによって形成され、凹部側壁は、ベース型面を凹部の上方に外挿した第１基準面２９に対して６０度以上９０度以下の角度をなす凹部縦面３１を第１基準面側の端部に有する。【選択図】図３
2020019662.tif 000002
【特許請求の範囲】
【請求項１】
ガラス容器を成形するための容器成形金型であって、
前記ガラス容器の主表面を形成するためのベース型面と、
前記ガラス容器の主表面にエンボス部を形成するために、前記ベース型面に形成された凹部とを有し、
前記凹部は、凹部底壁と、前記凹部底壁から前記ベース型面に向けて延びる凹部側壁とによって形成され、
前記凹部側壁は、前記ベース型面を前記凹部の上方に延長した第１基準面に対して５０度以上９０度以下の角度をなす凹部縦面を前記第１基準面側の端部に有することを特徴とする容器成形金型。
【請求項２】
前記凹部縦面は、前記第１基準面に対して８０度以上９０度以下の角度をなすことを特徴とする請求項１に記載の容器成形金型。
【請求項３】
前記凹部縦面は、前記凹部側壁の表面の１％以上１００％以下を占めることを特徴とする請求項１又は請求項２に記載の容器成形金型。
【請求項４】
前記凹部の深さが０．２ｍｍ以上１０ｍｍ以下であることを特徴とする請求項１〜請求項３のいずれか１つの項に記載の容器成形金型。
【請求項５】
ガラス容器を成形するための容器成形金型であって、
前記ガラス容器の主表面を形成するためのベース型面と、
前記ガラス容器の主表面にエンボス部を形成するために、前記ベース型面に形成された凸部とを有し、
前記凸部は、先端に設けられた凸部端壁と、前記凸部端壁から前記ベース型面に向けて延びる凸部側壁とによって形成され、
前記凸部側壁は、前記凸部端壁を延長した第２基準面に対して５０度以上９０度以下の角度をなす凸部縦面を前記凸部端壁側の端部に有することを特徴とする容器成形金型。
【請求項６】
前記凸部縦面は、前記第２基準面に対して８０度以上９０度以下の角度をなすことを特徴とする請求項５に記載の容器成形金型。
【請求項７】
前記凸部縦面は、前記凸部側壁の表面の１％以上１００％以下を占めることを特徴とする請求項５又は請求項６に記載の容器成形金型。
【請求項８】
前記凸部端壁は、前記ベース型面と平行な平面な面に形成されていることを特徴とする請求項５〜請求項７のいずれか１つの項に記載の容器成形金型。
【請求項９】
請求項１〜請求項８のいずれか１つの項に記載の容器成形金型を使用して製造され、前記エンボス部の高さが０．２ｍｍ以上１０ｍｍ以下であることを特徴とするガラス容器。
【請求項１０】
請求項１〜請求項４のいずれか１つの項に記載の容器成形金型を使用したガラス容器の製造方法であって、
前記凹部及び前記ベース型面に温度が７００℃以上１０００℃以下の可撓性を有するガラスを押し当てる工程を有することを特徴とするガラス容器の製造方法。
【請求項１１】
請求項５〜請求項８のいずれか１つの項に記載の容器成形金型を使用したガラス容器の製造方法であって、
前記凸部及び前記ベース型面に温度が７００℃以上１０００℃以下の可撓性を有するガラスを押し当てる工程を有することを特徴とするガラス容器の製造方法。
【発明の詳細な説明】
【技術分野】
【０００１】
本発明は、ガラス容器を成形するための容器成形金型、容器成形金型を使用して製造されたガラス容器、及び容器成形金型を使用したガラス容器の製造方法に関する。
【背景技術】
【０００２】
ガラス容器の表面に文字や図柄等のエンボス部（浮き彫り部）を形成するために、エンボス部に対応した凹部が金型面に形成された金型が使用される（例えば、特許文献１）。ガラス容器と金型との離型性の向上や、エンボス部におけるびり（微小なクラック）の抑制を目的として、金型面に形成された凹部の縁を形成する側面は底側に向けて凹部の内方に傾斜している。凹部の側面の金型面に対する傾斜角度は約４５度に設定されることが多い。
【先行技術文献】
【特許文献】
【０００３】
【特許文献１】特許第５５７０７５１号明細書
【発明の概要】
【発明が解決しようとする課題】
【０００４】
近年、デザインの観点から、ガラス容器のエンボス部の視認性を向上させたい、すなわちエンボス部を明瞭にしたいという要求がある。エンボス部の視認性を向上させるためには、エンボス部の高さを高くして輪郭を明瞭にすることが考えられる。そのためには、金型に形成された凹部の深さを一層深くする加工が必要であると考えられていた。しかし、本願発明者の研究によると、凹部の深さはエンボス部の視認性に対して顕著な影響を与えないことが確認された。
【０００５】
本発明は、以上の背景を鑑み、ガラス容器の表面に形成されるエンボス部の視認性を向上させることができる容器成形金型を提供することを課題とする。また、ガラス容器において、表面に形成されるエンボス部の視認性を向上させることを課題とする。また、ガラス容器の表面に形成されるエンボス部の視認性を向上させることができるガラス容器の製造方法を提供することを課題とする。
【課題を解決するための手段】
【０００６】
上記課題を解決するために、本発明のある態様は、ガラス容器（Ｃ）を成形するための容器成形金型（２０）であって、前記ガラス容器の主表面（Ｃ１）を形成するためのベース型面（２５）と、前記ガラス容器の主表面にエンボス部（Ｃ２）を形成するために、前記ベース型面に形成された凹部（２６）とを有し、前記凹部は、凹部底壁（２７）と、前記凹部底壁から前記ベース型面に向けて延びる凹部側壁（２８）とによって形成され、前記凹部側壁は、前記ベース型面を前記凹部の上方に延長した第１基準面（２９）に対して５０度以上９０度以下の角度（θ１）をなす凹部縦面（３１）を前記第１基準面側の端部に有することを特徴とする。
【０００７】
この態様によれば、容器成形金型によって製造されるガラス容器のエンボス部の視認性を向上させることができる。凹部の凹部縦面が第１基準面に対して比較的大きな角度を有するため、成形時に凹部内に進入する可撓性のガラスと凹部縦面との接触面積が小さくなる。その結果、ガラスは凹部縦面から冷却され難くなり、高温状態を維持して流動性を維持することができる。そのため、凹部内へのガラスの進入量が増加し、エンボス部を高く形成することができる。また、エンボス部の縁部がガラス容器の主表面に対して急峻に立ち上がるため、エンボス部と主表面との境界が明瞭になる。これらにより、エンボス部の視認性が向上する。
【０００８】
また、上記の態様において、前記凹部縦面は、前記第１基準面に対して８０度以上９０度以下の角度をなすとよい。
【０００９】
この態様によれば、第１基準面に対して凹部縦面が略垂直になるため、成形時に凹部内に進入する可撓性のガラスと凹部縦面との接触面積を一層小さくすることができる。これにより、容器成形金型によって製造されるガラス容器のエンボス部の視認性を向上させることができる。
【００１０】
また、上記の態様において、前記凹部縦面は、前記凹部側壁の表面の１％以上１００％以下を占めるとよい。
【００１１】
この態様によれば、成形時に凹部内に進入する可撓性のガラスと凹部側壁との接触面積を小さくすることができる。
【００１２】
また、上記の態様において、前記凹部の深さが０．２ｍｍ以上１０ｍｍ以下であるとよい。
【００１３】
この態様によれば、金型によって成形されるエンボス部を高くして、エンボス部の視認性を向上させることができる。
【００１４】
また、本発明の他の態様は、ガラス容器（Ｃ）を成形するための容器成形金型（２０）であって、前記ガラス容器の主表面（Ｃ１）を形成するためのベース型面（２５）と、前記ガラス容器の主表面にエンボス部（Ｃ２）を形成するために、前記ベース型面に形成された凸部（７０）とを有し、前記凸部は、先端に設けられた凸部端壁（７１）と、前記凸部端壁から前記ベース型面に向けて延びる凸部側壁（７２）とによって形成され、前記凸部側壁は、前記凸部端壁を延長した第２基準面（７４）に対して５０度以上９０度以下の角度（θ３）をなす凸部縦面（７５）を前記凸部端壁側の端部に有することを特徴とする。
【００１５】
この態様によれば、容器成形金型によって製造されるガラス容器のエンボス部の視認性を向上させることができる。凸部縦面が第２基準面に対して比較的大きな角度を有するため、成形時に可撓性のガラスと凸部縦面との接触面積が小さくなる。その結果、ガラスは凸部縦面から冷却され難くなり、高温状態を維持して流動性を維持することができる。そのため、ガラスは凸部の周囲においてベース型面側に近づくことができ、エンボス部を高く（深く）形成することができる。また、エンボス部の縁部がガラス容器の主表面に対して急峻に凹むため、エンボス部と主表面との境界が明瞭になる。これらにより、エンボス部の視認性が向上する。
【００１６】
また、上記の態様において、前記凸部縦面は、前記第２基準面に対して８０度以上９０度以下の角度をなすとよい。
【００１７】
この態様によれば、第２基準面に対して凸部縦面が略垂直になるため、成形時に凸部の周囲においてベース型面側に移動する可撓性のガラスと凸部縦面との接触面積を一層小さくすることができる。これにより、容器成形金型によって製造されるガラス容器のエンボス部の視認性を向上させることができる。
【００１８】
また、上記の態様において、前記凸部縦面は、前記凸部側壁の表面の１％以上１００％以下を占めるとよい。
【００１９】
この態様によれば、成形時に凸部の周囲においてベース型面側に移動する可撓性のガラスと凸部側壁との接触面積を小さくすることができる。
【００２０】
また、上記の態様において、前記凸部端壁は、前記ベース型面と平行な平面な面に形成されているとよい。
【００２１】
また、本発明の他の態様は、上記の容器成形金型（２０）を使用して製造され、前記エンボス部（Ｃ２）の高さが０．２ｍｍ以上１０ｍｍ以下であることを特徴とするガラス容器（Ｃ）を提供する。
【００２２】
この態様によれば、ガラス容器の表面に形成されるエンボス部の視認性を向上させることができる。
【００２３】
また、本発明の他の態様は、上記の容器成形金型（２０）を使用したガラス容器（Ｃ）の製造方法であって、前記凹部（２６）及び前記ベース型面（２５）に温度が７００℃以上１０００℃以下の可撓性を有するガラスを押し当てる工程を有することを特徴とする。
【００２４】
この態様によれば、製造されるガラス容器の表面に形成されるエンボス部の視認性を向上させることができる。
【発明の効果】
【００２５】
本発明によれば、ガラス容器の表面に形成されるエンボス部の視認性を向上させることができる容器成形金型を提供することができる。また、ガラス容器において、表面に形成されるエンボス部の視認性を向上させることができる。また、ガラス容器の表面に形成されるエンボス部の視認性を向上させることができるガラス容器の製造方法を提供することができる。
【図面の簡単な説明】
【００２６】
【図１】成形装置を示す側面図
【図２】本実施形態に係る容器成形金型を示す説明図
【図３】（Ａ）本実施形態に係る容器成形金型の凹部を示す平面図、（Ｂ）図３（Ａ）のＢ−Ｂ断面図
【図４】実施形態に係る容器成形金型によるエンボス部の成形過程を示す説明図
【図５】比較例に係る容器成形金型によるエンボス部の成形過程を示す説明図
【図６】（Ａ）実施例に係る容器成形金型により形成したエンボス部の写真画像、（Ｂ）図６（Ａ）のＢ−Ｂ断面図、（Ｃ）実施例に係る容器成形金型の断面形状
【図７】（Ａ）比較例に係る容器成形金型により形成したエンボス部の写真画像、（Ｂ）図７（Ａ）のＢ−Ｂ断面図、（Ｃ）比較例に係る容器成形金型の断面形状
【図８】一部変形実施形態に係る容器成形金型の凹部の断面図
【図９】（Ａ）他の本実施形態に係る容器成形金型の凸部を示す平面図、（Ｂ）図９（Ａ）のＢ−Ｂ断面図
【発明を実施するための形態】
【００２７】
以下、本発明の実施形態について説明する。容器成形金型２０は、ブロー成形によってガラス容器Ｃを成形するために使用され、ガラス容器Ｃの成形装置１の一部を構成する。成形装置１は、ガラスゴブからパリソンを成形する工程と、パリソンからガラス容器Ｃを成形する工程とを実行する。
【００２８】
図１に示すように、成形装置１は、基台２に回転可能に支持された反転アーム３を有する。反転アーム３は、水平方向に延びる回転中心を有し、初期位置と、初期位置に対して１８０°回転した反転位置との間で回転する。反転アーム３の先端には、少なくとも１つの口型４が支持されている。口型４は、反転アーム３が初期位置にあるときに、反転アーム３の上側に配置される。各口型４は、上下に延びる合せ面を有する割型と、一対の割型の間に配置されるガイドリングとを有する。一対の割型及びガイドリングのそれぞれは、反転アーム３に支持されている。基台には、口型が初期位置にあるときに、ガイドリングを通過して、割型間に突入するプランジャが設けられている。
【００２９】
各口型４の上方には、一対の粗型５がそれぞれ配置されている。一対の粗型５は、上下に延びる合せ面を有し、下端部において口型４を側方から挟み込むように配置される。一対の粗型５は、合せ面にパリソンの側部に対応した形状を形成する。粗型５の上端開口は、バッフル６によって開閉可能に閉じられる。
【００３０】
ガラスゴブからパリソンを成形する工程は、例えばブローアンドブロー成形によって行う。最初に、バッフル６を退避させた状態で口型４及び粗型５内にゴブを投入する。次に、バッフル６によって粗型５の上端を閉じ、バッフル６からセッツルエアーを噴射してゴブを口型４に押し付けてパリソンの口部を形成する。次に、口型４の割型及びプランジャの間から口部の内部にエアーを噴射してゴブを膨張させ、粗型５及びバッフル６にゴブを押し付けてパリソンの側部及び底部を形成する。これにより、パリソンが形成される。次にバッフル６と口型４のプランジャを退避させると共に、一対の粗型５を開いてパリソンを露出させる。この状態で、パリソンは口部において口型４に支持される。そして、反転装置が反転位置に移動することによって、パリソンは口部が上端に位置するように反転し、口型４に吊るされた状態になる。他の実施形態では、ブローアンドブロー成形に代えて、プレスアンドブロー成形やナローネックプレスアンドブロー成形によってパリソンを成形してもよい。
【００３１】
基台２において、反転位置にある口型４の下方にはディストリビュータプレート１０が設けられている。ディストリビュータプレート１０の上面には、それぞれガラス容器Ｃの底部を形成するための底型１２が配置される。ディストリビュータプレート１０と底型１２とは、互いに嵌合する係合部によって相対位置が定められている。
【００３２】
図２に示すように、底型１２の上部の中央には、上方に向けて突出した円柱状の抱き部１３が設けられている。抱き部１３の上端には、同軸に鍔部１４が設けられている。鍔部１４の上部には、成形するガラス容器Ｃの底部の表面に対応した形状を有する底部金型面１５が形成されている。
【００３３】
底型１２の上方には、一対の仕上型１８がそれぞれ配置されている。一対の仕上型１８のそれぞれは、上下に延びると共に互いに当接する合せ面と、合せ面に形成された側部金型面１９とを有する。側部金型面１９は、成形するガラス容器Ｃの側部の表面に対応した形状を有する。各仕上型１８の下部には、底型１２の抱き部１３及び鍔部１４を挟持する挟持部２１が形成されている。
【００３４】
一対の仕上型１８は、図示しない支持装置に支持され、それぞれの合せ面が互いに当接した成形位置と、それぞれの合せ面が互いに分離し、底型１２から離れた退避位置との間で移動可能になっている。一対の仕上型１８が成形位置にあるときに、底型１２の抱き部１３及び鍔部１４が各仕上型１８の挟持部２１に挟持される。これにより、一対の仕上型１８と底型１２の相対位置が定まる。各仕上型１８が成形位置にあるときに、底部金型面１５と側部金型面１９のそれぞれとは滑らかに接続し、成形するガラス容器Ｃの表面（外形）に対応した形状を形成する。
【００３５】
底型１２及び一対の仕上型１８は、ガラス容器Ｃを成形する容器成形金型２０を構成する。側部金型面１９及び底部金型面１５は、ガラス容器Ｃの表面を形成するために使用される。底型１２及び一対の仕上型１８は、例えば工具鋼等の金属によって形成されている。
【００３６】
側部金型面１９及び底部金型面１５は、前記ガラス容器Ｃの主表面Ｃ１を形成するためのベース型面２５と、ガラス容器Ｃの主表面Ｃ１にエンボス部Ｃ２を形成するために、ベース型面２５に形成された凹部２６とを有する。ここで、ガラス容器Ｃの主表面Ｃ１は、ガラス容器Ｃの表面を形成する平滑な面をいい、側面や底面を含む。エンボス部Ｃ２は、主表面Ｃ１に対して外方に突出した凸部をいう。エンボス部Ｃ２は、ガラス容器Ｃの主表面Ｃ１に例えば文字や数字、図形、模様等を形成する。また、エンボス部Ｃ２は、ガラス容器Ｃの底部に形成されるナーリングや、社標、識別番号（記号）等を含む。後述するが、エンボス部Ｃ２は凹部も含む。
【００３７】
ベース型面２５は、ガラス容器Ｃの主表面Ｃ１に対応した面であり、例えば滑らかな曲面や凹面に形成されている。図３（Ａ）は、本実施形態に係る容器成形金型２０の凹部２６を示す平面図である。図３（Ａ）では、凹部２６の一例として、数字「７」の形状のエンボス部Ｃ２を形成するための構成を示す。図３に示すように、凹部２６は、ベース型面２５に凹設され、凹部底壁２７と、凹部底壁２７からベース型面２５に向けて延びる凹部側壁２８とによって形成されている。凹部側壁２８は、少なくとも１つ設けられ、例えば凹部底壁２７の両側に互いに対向するように一対設けられる。ベース型面２５を凹部２６の上方に外挿した面を第１基準面２９とする。
【００３８】
凹部側壁２８は、第１基準面２９に対して５０度以上９０度以下の角度（θ１）をなす凹部縦面３１を第１基準面２９側の端部に有する。凹部縦面３１は、第１基準面２９に対して８０度以上９０度以下の角度をなすことが好ましく、第１基準面２９に対して８５度以上９０度以下の角度をなすことが更に好ましい。凹部縦面３１の第１基準面２９に対する角度は、９０度に近いほど好ましい。凹部縦面３１は、ベース型面２５に接続し、ベース型面２５と共に角部３３を形成する。角部３３は、直角に近いことが好ましい。凹部縦面３１は、凹部側壁２８部の表面の１％以上１００％以下を占める。すなわち、凹部縦面３１は、凹部側壁２８の表面の全域を形成してもよく、凹部側壁２８の開口端側の領域のみを形成してもよい。また、凹部縦面３１は、ベース型面２５から凹部底壁２７の表面まで延びていてもよい。
【００３９】
凹部底壁２７の表面の形状は、特に限定されないが、平面や曲面（凹面、凸面）に形成されるとよい。凹部底壁２７と凹部側壁２８との境界には、凹部底壁２７の表面と凹部側壁２８の表面とを滑らかに接続する曲面状の接続部３４が形成されてもよい。接続部３４の曲率は、例えば０．２ｍｍ以上０．４ｍｍ以下であるとよい。なお、接続部３４が省略され、凹部底壁２７の表面と凹部側壁２８の表面とが直接に接続されてもよい。
【００４０】
互いに対向する凹部側壁２８間の距離（凹部２６の幅）の下限は、好ましくは０．２ｍｍ以上、より好ましくは０．８ｍｍ以上、更に好ましくは１．０ｍｍ以上である。互いに対向する凹部側壁２８間の距離の上限は、特に限定されないが、例えば２００ｍｍ以下、１０ｍｍ以下、或は３ｍｍ以下としてもよい。
【００４１】
凹部２６の深さは、０．２ｍｍ以上１０ｍｍ以下、好ましく０．３ｍｍ以上１．０ｍｍ以下であるとよい。ここで、凹部２６の深さとは、第１基準面２９と凹部底壁２７の表面との距離の内で最大となる値をいう。凹部２６は、例えば、幅が１．０ｍｍ以上３ｍｍ以下であり、かつ深さが０．６ｍｍ以上１．０ｍｍ以下であるとよい。
【００４２】
パリソンからガラス容器Ｃを成形する工程では、最初に、口型４に支持されたパリソンは、反転アーム３が反転位置に移動することによって、底型１２の上方に口型４によって吊るされた状態となる。このとき、底型１２は固定位置に配置され、仕上型１８は退避位置に配置されている。次に、仕上型１８が成形位置に移動し、底型１２の上方に配置される。このとき、各仕上型１８の挟持部２１によって底型１２の抱き部１３及び鍔部１４が挟持され、底型１２及び仕上型１８の位置が定まる。
【００４３】
各仕上型１８が成形位置に配置されることによって、パリソンは各仕上型１８の間に形成される空洞部に配置され、口型４は仕上型１８空洞部の上端開口に配置される。この状態で、パリソンの口部を介してパリソンの内側に圧縮空気が吹き込まれ、パリソンが下方かつ側方に膨張する。パリソンは、底型１２の底部金型面１５及び仕上型１８の側部金型面１９に押し当てられて成形され、ガラス容器Ｃが成形される。このとき、ガラス容器Ｃの表面の一部が凹部２６に進入することによって、主表面Ｃ１に対して突出したエンボス部Ｃ２が形成される。このとき、ガラスは、７００℃以上１０００℃以下であり、可撓性を有する。また、圧縮空気の圧力は、成形するガラス容器の厚みが０．６ｍｍ〜３０．０ｍｍである場合に、例えば０．０２ＭＰａ〜０．２８ＭＰａである。
【００４４】
その後、成形されたガラス容器Ｃの口部を口型４が離すと共に、反転アーム３が初期位置に移動する。同時に、各仕上型１８が退避位置に移動する。これにより、ガラス容器Ｃは底部において底型１２に支持された状態になる。この状態から図示しないクランプ装置が成形されたガラス容器Ｃの口部を挟持してガラス容器Ｃを上方に持ち上げ、底型１２からガラス容器Ｃの底部を引き離す。クランプ装置によって底型１２から取り外されたガラス容器Ｃは、続く徐冷工程に送られる。
【００４５】
次に、本実施形態に係る容器成形金型２０を使用した場合のエンボス部Ｃ２の形成過程について説明する。実施形態に係る容器成形金型２０の作用を明確にするために、比較例に係る容器成形金型５０と対比して説明を行なう。図５に示すように、比較例に係る容器成形金型５０は、実施形態に係る容器成形金型２０と比べて、凹部側壁２８の形状が異なる。比較例に係る容器成形金型５０は、凹部側壁２８が傾斜面５１に形成されている。傾斜面５１は、第１基準面２９に対して４５度（鋭角）の角度を有し、開口端側の端部においてベース型面２５に接続している。傾斜面５１の凹部底壁２７側の端部は接続部３４と滑らかに連続し、凹部２６の断面はすり鉢形に形成されている。
【００４６】
図４（Ａ）に示すように、実施形態に係る容器成形金型２０では、圧縮空気によってベース型面２５に押し当てられた高温かつ可撓性のガラスは、更に圧縮空気に押されて凹部２６内に向けて膨出する。このとき、凹部側壁２８の凹部縦面３１が第１基準面２９に対して略垂直に配置されているため、凹部２６内に膨出したガラスが凹部縦面３１に接触し難く、ガラスと凹部縦面３１との接触面積が小さくなる。すなわち、ガラスはベース型面２５と凹部縦面３１との間の角部３３から剥離して、凹部２６内に浮いた状態になる。これにより、ガラスが凹部縦面３１によって冷却され難くなり、高温状態を維持して流動性を維持することができる。そのため、図４（Ｂ）に示すように、凹部２６内へのガラスの進入量が増加し、エンボス部Ｃ２が高く形成される。また、エンボス部Ｃ２の縁部がガラス容器Ｃの主表面Ｃ１に対して急峻に立ち上がるため、エンボス部Ｃ２のガラスの主表面Ｃ１に対する境界が明瞭になる。これらにより、エンボス部Ｃ２の視認性が向上する。
【００４７】
凹部２６内に膨出したガラスの先端は、凹部２６の凹部底壁２７に接触してもよく、或は接触しなくてもよい。凹部２６内に膨出したガラスの先端が凹部２６の凹部底壁２７に接触する場合、更に凹部２６内にガラスの進入量が増加すると、ガラスは凹部底壁２７にガイドされて凹部側壁２８側に広がる。これにより、ガラス容器Ｃの主表面Ｃ１に対してエンボス部Ｃ２の縁部がなす角度が更に大きくなり、エンボス部Ｃ２のガラスの主表面Ｃ１に対する境界が一層明瞭になる。
【００４８】
また、容器成形金型２０ではエンボス部Ｃ２と凹部縦面３１との接触面積が小さくなるため、ガラス容器Ｃの離型性が向上する。なお、エンボス部Ｃ２の基部の一部が凹部縦面３１と接触する場合にも、その接触面積は小さく抑えられるため、離型性が悪化することはない。
【００４９】
また、容器成形金型２０ではエンボス部Ｃ２と凹部縦面３１との接触面積が小さくなるため、エンボス部Ｃ２の急冷が抑制される。これにより、エンボス部Ｃ２にびり等の欠点が生じ難くなる。
【００５０】
一方、図５（Ａ）に示すように、比較例に係る容器成形金型５０では、凹部側壁２８が傾斜面５１を有するため、ガラスは凹部２６内に膨出するときに傾斜面５１に接触する。すなわち、ガラスはベース型面２５と凹部縦面３１との間の角部３３において剥離せず、傾斜面５１に沿って膨出する。これにより、ガラスは傾斜面５１によって冷却され、温度が低下して流動性が低下する。そのため、図５（Ｂ）に示すように、凹部２６内へのガラスの進入量が低下し、エンボス部Ｃ２が所期の高さよりも低く形成される。そのため、エンボス部Ｃ２の視認性が低下する。
【００５１】
以下、実施例について説明する。実施例に係る容器成形金型２０は、凹部縦面３１を凹部側壁２８のベース型面２５側の端部から凹部底壁２７側の端部にかけて形成し、第１基準面２９に対する凹部縦面３１の角度を９０°とした。比較例に係る容器成形金型５０は、傾斜面５１を凹部側壁２８の全域に形成し、第１基準面２９に対する傾斜面５１の角度を４５°とした。実施例及び比較例において、凹部２６の幅を１．０ｍｍ（比較例では開口端の幅）、深さを０．４ｍｍとした。また、凹部２６の形状は、文字「７００ｍｌ」に対応した形状とした。成形条件は、ガラス（パリソン）の温度を１１４６℃、容器成形金型２０、５０の温度を５４２℃、圧縮空気の圧力を０．１６ＭＰａとした。
【００５２】
図６は、実施例に係る容器成形金型２０を使用して製造したガラス容器Ｃの外観の写真画像（図６（Ａ））と、エンボス部Ｃ２の断面形状（図６（Ｂ））、実施例に係る容器成形金型２０の断面形状（図６（Ｃ））を示す。図７は、比較例に係る容器成形金型５０を使用して製造したガラス容器Ｃの外観の写真画像（図７（Ａ））と、エンボス部Ｃ２の断面形状（図７（Ｂ））、比較例に係る容器成形金型５０の断面形状（図７（Ｃ））を示す。図６（Ｂ）及び図７（Ｂ）に示すエンボス部Ｃ２の高さは、触針を用いて対象物の表面をなぞることで、その輪郭形状を測定する輪郭形状測定機を使用して測定した。図６及び図７から判るように、実施例の容器成形金型２０により製造したガラス容器Ｃの方が、比較例の容器成形金型５０により製造したガラス容器Ｃよりもエンボス部Ｃ２（７００ｍｌの文字）が、視認性が高いことが確認された。また、実施例の容器成形金型２０により製造したガラス容器Ｃの方が、比較例の容器成形金型５０により製造したガラス容器Ｃよりもエンボス部Ｃ２の高さが高いことが確認された。
【００５３】
以上で具体的実施形態の説明を終えるが、本発明は上記実施形態に限定されることなく幅広く変形実施することができる。例えば、凹部縦面３１は凹部側壁２８の全域に設ける必要がない。図８に示すように、凹部側壁２８は、凹部縦面３１の凹部底壁２７側に傾斜面３６を有してもよい。傾斜面３６は、第１基準面２９に対して例えば１０°以上７０°以下の角度（θ２）を有するとよい。
【００５４】
エンボス部Ｃ２は、ガラス容器Ｃの主表面Ｃ１に形成された凸部に限らず、凹部も含む。凹部であるエンボス部Ｃ２は、ベース型面２５に設けられた凸部７０によって形成することができる。図９（Ａ）は、他の実施形態に係る容器成形金型２０の凸部７０を示す平面図である。図９（Ａ）では、凸部７０の一例として、数字「７」の形状のエンボス部Ｃ２を形成するための構成を示す。図９に示すように、凸部７０は、ベース型面２５に突設され、先端に設けられた凸部端壁７１と、凸部端壁７１からベース型面２５に向けて延びる凸部側壁７２とによって形成されている。凸部側壁７２は、少なくとも１つ設けられ、例えば凸部端壁７１の両側に一対設けられる。凸部端壁７１を延長（外挿）した面を第２基準面７４とする。
【００５５】
凸部側壁７２は、第２基準面７４に対して５０度以上９０度以下の角度をなす凸部縦面７５を凸部端壁７１（第２基準面７４側）の端部に有する。凸部縦面７５は、第２基準面７４に対して８０度以上９０度以下の角度（θ３）をなすことが好ましく、第２基準面７４に対して８５度以上９０度以下の角度をなすことが更に好ましい。凸部縦面７５の第２基準面７４に対する角度は、９０度に近いほど好ましい。凸部縦面７５は、凸部端壁７１に接続し、凸部端壁７１と共に角部７６を形成する。角部７６は直角に近いことが好ましい。凸部縦面７５は、凸部側壁７２部の表面の１％以上１００％以下を占める。すなわち、凸部縦面７５は、凸部側壁７２の表面の全域を形成してもよく、凸部側壁７２の凸部端壁７１側の領域のみを形成してもよい。また、凸部縦面７５は、凸部端壁７１（角部７６）からベース型面２５まで延びていてもよい。
【００５６】
凸部端壁７１の表面は、ベース型面２５と平行な平面な面に形成されていることが好ましい。凸部側壁７２とベース型面２５との境界には、凸部側壁７２の表面とベース型面２５とを滑らかに接続する曲面状の接続部７７が形成されてもよい。接続部７７の曲率は、例えば０．２ｍｍ以上０．４ｍｍ以下であるとよい。なお、接続部７７が省略され、凸部側壁７２の表面とベース型面２５とが直接に接続されてもよい。
【００５７】
凸部７０の高さは、特に限定されないが、例えば０．２ｍｍ以上１０ｍｍ以下、好ましく０．３ｍｍ以上１．０ｍｍ以下であるとよい。ここで、凸部７０の高さとは、凸部端壁７１の表面とベース型面２５の距離の内で最大となる値をいう。
【００５８】
凸部７０を有する容器成形金型２０では、圧縮空気によってベース型面２５側に押される高温かつ可撓性のガラスは、最初に凸部７０の凸部端壁７１に接触し、その後凸部端壁７１の縁部からベース型面２５側に押される。このとき、凸部縦面７５が第２基準面７４に対して略垂直に配置されているため、ベース型面２５側に移動するガラスが凸部縦面７５に接触し難く、ガラスと凸部縦面７５との接触面積が小さくなる。すなわち、ガラスは凸部端壁７１と凸部縦面７５との間の角部７６から剥離して、浮いた状態になる。これにより、ガラスが凸部縦面７５によって冷却され難くなり、高温状態を維持して流動性を維持することができる。そのため、ガラスは、凸部７０の周囲においてベース型面２５側に接近し易くなり、エンボス部Ｃ２の縁部の角度がガラス容器Ｃの主表面Ｃ１に対して急峻に立ち上がる。これにより、エンボス部Ｃ２のガラスの主表面Ｃ１に対する境界が明瞭になる。これにより、エンボス部Ｃ２の視認性が向上する。このように、凸部７０を備えた容器成形金型２０は、上述した凹部２６を備えた容器成形金型２０と同様のメカニズムでエンボス部Ｃ２の視認性を向上させることができる。
【００５９】
上記の凹部２６及び凸部７０の少なくとも一方を備えた容器成形金型２０は、ブロー成形工程の他に、ガラス容器のプレス成形工程やスピン成形（遠心成形）工程にも使用することができる。
【符号の説明】
【００６０】
１    ：成形装置
１２  ：底型
１５  ：底部金型面
１８  ：仕上型
１９  ：側部金型面
２０  ：容器成形金型
２５  ：ベース型面
２６  ：凹部
２７  ：凹部底壁
２８  ：凹部側壁
２９  ：第１基準面
３１  ：凹部縦面
３３  ：角部
３４  ：接続部
５０  ：容器成形金型（比較例）
５１  ：傾斜面
７０  ：凸部
７１  ：凸部端壁
７２  ：凸部側壁
７４  ：第２基準面
７５  ：凸部縦面
７６  ：角部
７７  ：接続部
Ｃ    ：ガラス容器
Ｃ１  ：主表面
Ｃ２  ：エンボス部
【図１】
2020019662.tif 000003
【図２】
2020019662.tif 000004
【図３】
2020019662.tif 000005
【図４】
2020019662.tif 000006
【図５】
2020019662.tif 000007
【図６】
2020019662.tif 000008
【図７】
2020019662.tif 000009
【図８】
2020019662.tif 000010
【図９】
2020019662.tif 000011